(57)【要約】  【課題】本発明は飾り部品を吸込グリルの開口部へ容易に且つ正確に取り付けることができると共に、飾り部品による通風抵抗が少なく、飾り部品の取付位置および有無によりデザインのバリエーションの幅を広げることができる空気調和機を提供することを目的とする。  【解決手段】室内側ユニットの吸込グリルに背面側に向かう凹部を設け、同凹部のいずれか一側面を開口して吸込口の一部とした空気調和機に、断面Ｕ字形状をした飾り部品を、前記凹部の底面壁に挿入させて吸込口の開口を確保するように装着させる。  【選択図】図３
2008215687.tif 000002
【特許請求の範囲】
【請求項１】
室内側ユニットの吸込グリルに背面側に向かう凹部を設け、同凹部のいずれか一側面を開口して吸込口の一部とした空気調和機において、断面Ｕ字形状をした飾り部品を吸込口の開口を確保するように前記凹部の底面壁に装着させたことを特徴とする空気調和機。
【請求項２】
前記飾り部品は、裏面にリブを備えた飾り片と、上端に係止爪を備えた取付片と、両者を下端で繋いだ連結片とからなることを特徴とする請求項１記載の空気調和機。
【請求項３】
前記吸込グリルの背面に前記底面壁を補強するために設けられた複数の補強用リブの隣り合う間隔と、前記取付片とが同じ幅になることを特徴とする請求項１または２記載の空気調和機。
【発明の詳細な説明】
【技術分野】
【０００１】
この発明は空気調和機に関するもので、特に吸込グリルへ飾り部品を取り付ける構造に関するものである。
【背景技術】
【０００２】
空気調和機の室内側ユニット１は図１（Ｂ）に示すように、熱交換器７と送風ファン８と図示しない電装品箱を備え、それらを支持するベース２と、前記ベース２に被着し、内部にフィルタ３を支持する前面パネル４と、該前面パネル４の前面に取り付けられた吸込グリル５とでなり、上部吸込口９および前面吸込口１０から吸い込まれた吸込空気を熱交換して冷気あるいは暖気とし、前記送風ファン８により吹出口１１から室内に送出している。
【０００３】
近年の室内側ユニットは吸込グリルの表面に桟を設けないフラットな面形状にして室内のインテリアに溶け込むデザインとなり、空気は上部から吸い込む方式が主流となってきた。しかし、桟が無いことで前面からの吸込量が不足するため前面からも空気を取り入れる必要があり、従来技術１として図８（Ａ）、（Ｂ）にある空気調和機２００のようにフラットな面形状の吸込グリル２０５の中央に横長の凹部２０５ａを設け、その一部を吸込口とすることで吸込風量を増やすと共に、前記凹部２０５ａがフラットな面による単調なデザインにアクセント的な効果も与える空気調和機が提案されている。
【０００４】
その際、合成樹脂の成形品の表面にブランド名等の印刷を施し、裏面に係止爪２０６ａを二本突設した飾り部品２０６を、前記凹部２０５ａの左右端の補強部２０５ｂに設けた係止用孔２０５ｄに、前記係止爪２０６ａで係止させることで簡単に空気調和機の外観にブランド名等のアクセントを加え、デザイン品質をさらに向上させるものも提案されている。しかし、この構成によると前記飾り部品２０６を取り付けない場合、前記補強部２０５ｂの係止用孔２０５ｄが正面から視認されることになる。さらに、前記補強部材２０６を係止させる補強部２０５ｂが吸込口を塞ぐことになり、その部分は吸込口として使用できないため、通風抵抗となり騒音を招いていた。（特許文献１参照）
また、空気調和機の吸込グリルの開口部にバッジを取り付ける際に吸込グリルに係止用孔を残さないものとして、従来技術２として図９（Ａ）、（Ｂ）、（Ｃ）のように空気調和機１０１の吸込グリル１０６の断面を略への字形に形成した格子１０７に、バッジ１０９背面に前記格子１０７の隙間に対応する取付片１０９ｂを立設し、その先端に前記格子１０７の後端に係止する係止爪１０９ｃを突設し、同係止爪１０９ｃに対向して前記取付片１０９ｂに前記格子１０７の前端１０７ａ背面に係止する第二係止爪１０９ｅを突設し、前記取付片１０９ｂを前記格子１０７の隙間に挿入して同格子１０７の後端に前記係止爪１０９ｃを係止し、前記第二係止爪１０９ｅを前端１０７ａ背面に係止して前記バッジ１０９を前記格子１０７に取り付ける技術が提案されている。（特許文献２参照）
しかしながら、前記バッジ１０９を前記格子１０７に取り付ける際、前記吸込口グリル１０６の開口部を前記バッジ１０９で塞いでしまうことになり、従来技術１同様、通風抵抗となり騒音を招いていた。
【特許文献１】特願２００６−３０５８０４号（第５−６図）
【特許文献２】特開平０９−２６１６０号公報
【発明の開示】
【発明が解決しようとする課題】
【０００５】
本発明は上記問題点に鑑み、飾り部品を吸込グリルの開口部へ容易に且つ正確に取り付けることができると共に、飾り部品による通風抵抗が少なく、飾り部品の取付位置または有無によりデザインのバリエーションの幅を広げることができる空気調和機を提供することを目的とする。
【課題を解決するための手段】
【０００６】
前記課題を解決するために、室内側ユニットの吸込グリルに背面側に向かう凹部を設け、同凹部のいずれか一側面を開口して吸込口の一部とした空気調和機において、断面Ｕ字形状をした飾り部品を吸込口の開口を確保するように前記凹部の底面壁に装着させたことで、通風抵抗を抑えることができ、さらに飾り部品の取付位置の違いや有無によりデザインのバリエーションの幅を広げることができる。
【０００７】
また、前記飾り部品は、裏面にリブを備えた飾り片と、上端に係止爪を備えた取付片と、両者を下端で繋いだ連結片とからなり、前記凹部の底面壁に容易に装着し、取り付けることができる。
【０００８】
また、前記飾り部品は、前記吸込グリルの背面に前記底面壁を補強するために設けられた複数の補強用リブの隣り合う間隔と、前記取付片とを同じ幅にすることで、左右の位置決めがなされ、正確に取り付けることができる。
【発明の効果】
【０００９】
このように本発明は、室内側ユニットの吸込グリルに背面側に向かう凹部を設け、同凹部のいずれか一側面を開口して吸込口の一部とした空気調和機において、断面Ｕ字形状をした飾り部品を、吸込口の開口を確保するように前記凹部の底面壁に装着させたことで、通風抵抗を抑えることができ、さらに飾り部品の取付位置の違いや有無によりデザインのバリエーションの幅を広げることができる。
【発明を実施するための最良の形態】
【００１０】
以下、本発明の実施形態を添付図面に基づいて詳細に説明する。図１は本発明の空気調和機の構成を示す図で（Ａ）は正面図、（Ｂ）はＡ―Ａ’断面図、（Ｃ）はＢ−Ｂ’断面図である。図２は本発明の飾り部品の詳細図で（Ａ）は平面図、（Ｂ）は正面図、（Ｃ）は底面図、（Ｄ）は拡大した右側面図、（Ｅ）は拡大したＣ−Ｃ’断面図、（Ｆ）は拡大したＤ−Ｄ’断面図、（Ｇ）は斜視図である。図３は本発明の飾り部品の取付方法を示した断面図で（Ａ）は取付前の図、（Ｂ）は取付中の図、（Ｃ）は取付後の図である。図４は本発明の空気調和機を示す斜視図で（Ａ）は飾り部品を中央に取り付けた斜視図、（Ｂ）は飾り部品を端寄りに取り付けた斜視図、（Ｃ）は飾り部品の無い斜視図である。図５は本発明による飾り部品を吸込グリルに取付けた状態を吸込グリル背面側から見た斜視図である。
【００１１】
本発明による空気調和機の室内側ユニット１は、図１（Ｂ）に示すように、熱交換器７と送風ファン８と図示しない電装品箱を備え、それらを支持するベース２と、前記ベース２に被着し、内部にフィルタ３を支持する前面パネル４と、該前面パネル４の前面に取り付けられた吸込グリル５とでなり、上部吸込口９および前面吸込口１０から吸い込まれた吸込空気を熱交換して冷気あるいは暖気とし、前記送風ファン８により吹出口１１から室内に送出している。
【００１２】
前記吸込グリル５の表面はフラットな面形状で、ほぼ中央に横手方向に長い凹部５ａが背面側に向かって設けられている。同凹部５ａは図３に示すように前面側が広く背面側が狭い台形状に形成され、上方側面には前記室内側ユニット１の内部を直接目視できない状態にする目隠し効果のある上面壁５ｃと、同じく目隠し効果のある底面壁５ｂが連続して形成されている。下面壁は開口され、これが前記前面吸込口１０となり、空気を吸い込めるようにした構成となっている。また、前記前面吸込口１０は上面壁５ｃ側が開口されてもよい。その場合は下面壁（図示せず）と底面壁５ｂが連続して形成されることになる。
【００１３】
６は前記凹部５ａの底面壁５ｂに装着させる飾り部品であって、図２および図３に示すように正面側に印刷等が施される飾り片６ａと、背面側の前記底面壁５ｂより若干長い取付片６ｂとを有し、そして前記取付片６ｂの上端には前記上面壁５ｃに係止するための前面側に向かう係止爪６ｅが突設され、前記飾り片６ａと取付片６ｂの下端を連結する連結片６ｃとにより全体的に断面Ｕ字形状に形成されている。前記連結片６ｃには前記係止爪６ｅに当る部分の金型が抜けるようにした孔６ｇが形成され、前記飾り片６ａの裏面には、前記吸込グリル凹部５ａに装着させる際に前記底面壁５ｂを前記取付片６ｂとで挟持するための少なくとも１つ以上のリブ６ｄが形成されている。
【００１４】
なお図５のように、前記取付片６ｂは、前記吸込グリル５の背面に前記底面壁５ｂを補強するために設けられた複数の補強用リブ５ｄの隣り合う間隔と、同じ幅に形成してもよい。
【００１５】
また、飾り部品６の左右には同飾り部品６の内部を目隠しすると共に、装着した際に左右端の押さえとなる側面壁６ｆがある。
【００１６】
次に前記飾り部品６の取付方法を図３で説明する。前記飾り部品６は前記吸込グリル５の背面から、前記飾り片６ａを正面に向けた状態で、前記底面壁５ｂの下端側、即ち前記前面吸込口１０から挿入する。その際、前記取付片６ｂは弾性を有しているため後面へ撓み、前記底面壁５ｂの下端が前記連結片６ｃまで達すると、前記係止爪６ｅが前記上面壁５ｃの端部に係止される。これにより、前記飾り部品６は前記吸込グリル凹部５ａの前記底面壁５ｂと前記上面壁５ｃに取り付けられることになる。
【００１７】
また、左右方向も前記取付片６ｂが前記補強用リブ５に規正されているため左右の位置決めがなされ、より正確に取り付けられる。
【００１８】
また、前記飾り部品６は前記上面壁５ｃと前記底面壁５ｂに係止するため、前記飾り部品６の奥行きは前記吸込グリル凹部５ａの奥行きに係らず設定することができ、前記飾り部品６の奥行きを短く設定することにより、前面吸込口１０を全て塞がずに開口部を残すことができるため、前記飾り部品６の装着による通風抵抗の発生を抑えることができる。
【００１９】
また、前記飾り部品６は印刷替えで空気調和機のデザインのバリエーションを複数持つことができると共に、従来技術１のように吸込グリルに係止爪用孔を設ける必要が無く、また吸込グリル凹部５ａのどこにでも取り付けることができるため、例えば、図４（Ａ）のように吸込グリルの中央に取り付けてもよく、または図４（Ｂ）のように吸込グリルの左右端に取り付けてもよい。または図４（Ｃ）のように飾り部品を取り付けないようにしてもよく、飾り部品６一つの取付位置の違いや有無によりコストをかけずに多数のデザインのバリエーションを容易に揃えることができる。
【００２０】
図６は実施例２を示す図である。飾り部品６の飾り片６ａは必ずしも垂直でなくてもよく、飾り片６ａを吸込グリル凹部５ａの下端部から前方に傾斜させて形成することで、さらに吸込口の開口を広げることができるためより通風抵抗の発生を抑えることができる。
【００２１】
図７は実施例３を示す図である。飾り部品６の飾り片６ａは必ずしも平面でなくてもよく、自由な形にすることで多様なデザインのバリエーションを作ることができる。
【図面の簡単な説明】
【００２２】
【図１】は本発明の空気調和機の構成を示す図で（Ａ）は正面図、（Ｂ）はＡ―Ａ’断面図、（Ｃ）はＢ−Ｂ’断面図である。
【図２】は本発明の飾り部品の詳細図で（Ａ）は平面図、（Ｂ）は正面図、（Ｃ）は底面図、（Ｄ）は拡大した右側面図、（Ｅ）は拡大したＣ−Ｃ’断面図、（Ｆ）は拡大したＤ−Ｄ’断面図、（Ｇ）は斜視図である。
【図３】は本発明の飾り部品の取付方法を示した断面図で（Ａ）は取付前の図、（Ｂ）は取付中の図、（Ｃ）は取付後の図である。
【図４】は本発明の空気調和機を示す斜視図で（Ａ）は飾り部品を中央に取り付けた斜視図、（Ｂ）は飾り部品を端寄りに取り付けた斜視図、（Ｃ）は飾り部品の無い斜視図である。
【図５】は本発明による飾り部品を吸込グリルに取付けた状態を吸込グリル背面側から見た斜視図である。
【図６】は本発明の実施例２に係る飾り部品の取付方法を示した断面図である。
【図７】は本発明の実施例３の飾り部品を下方から見た斜視図である。
【図８】は従来例１の空気調和機の説明図で、(Ａ)は斜視図、（Ｂ）は飾り部品部分の拡大断面図である。
【図９】は従来例２の空気調和機の説明図で、(Ａ)は斜視図、（Ｂ）はＡ―Ａ’拡大断面図、（Ｃ）はバッジの斜視図である。
【符号の説明】
【００２３】
１    空気調和機室内側ユニット
５    吸込グリル
５ａ  吸込グリル凹部
５ｂ  吸込グリル凹部底面壁
５ｃ  吸込グリル凹部上面壁
５ｄ  吸込グリル補強用リブ
６    飾り部品
６ａ  飾り部品飾り片
６ｂ  飾り部品取付片
６ｃ  飾り部品連結片
６ｄ  飾り部品リブ
６ｅ  飾り部品係止爪
６ｆ  飾り部品側面壁
６ｇ  飾り部品孔
９    上部吸込口
１０  前面吸込口
【図１】
2008215687.tif 000003
【図２】
2008215687.tif 000004
【図３】
2008215687.tif 000005
【図４】
2008215687.tif 000006
【図５】
2008215687.tif 000007
【図６】
2008215687.tif 000008
【図７】
2008215687.tif 000009
【図８】
2008215687.tif 000010
【図９】
2008215687.tif 000011